(57)【要約】【課題】印刷された情報を滲ませずにレシート用紙を折りたたんで買い物客にとって取り扱いやすい形状のレシートを発行するレシートプリンタを提供する。【解決手段】レシート用紙保持部と排出部との間を連絡してレシート用紙５を案内する搬送経路上に、搬送経路の上流側をなす第１の要素１５と下流側をなす第２の要素１６とを有する折りたたみ機構１４を具備する。レシートプリンタは、折りたたみ機構１４の第２の要素１６を回転駆動制御する回動制御手段を備え、印刷後のレシート用紙５を第２の要素１６まで搬送し、レシート用紙５を搬送経路に拘束させ、第２の要素１６を第１の要素１５に接合するまで回動駆動させてレシート用紙５を折りたたみ、その後第２の要素１６を初期位置に復帰させて、レシート用紙５を解放し、搬送経路沿いに搬送する。【選択図】図２
2008097200.tif 000002
【特許請求の範囲】
【請求項１】
ロール状に巻回されたレシート用紙を保持するレシート用紙保持部とレシート用紙排出部との間を連絡し前記レシート用紙を案内する搬送経路と、
前記レシート用紙に搬送力を与えて前記搬送経路に沿って搬送させる搬送機構と、
前記搬送経路の途中に配置され前記レシート用紙に情報を印刷する印刷機構と、
前記印刷機構よりも前記搬送経路の下流側に配置され前記レシート用紙を切断する切断機構と、
前記印刷機構と前記切断機構との間の前記搬送経路上で当該搬送経路の上流側をなす第１の要素と下流側をなす第２の要素とを有し、前記第１の要素と前記第２の要素との少なくとも一方が前記レシート用紙を拘束した状態で、前記第２の要素を前記第１の要素に接合するまで回動して当該レシート用紙を折りたたむ折りたたみ機構と、
前記第２の要素を前記搬送経路を構成する初期位置と前記第１の要素に接合する折りたたみ位置との間で変位動作させる動力源と、
印刷後の前記レシート用紙が前記第２の要素の位置まで搬送された状態で当該第２の要素が前記折りたたみ位置に変位した後に前記初期位置に復帰するように前記動力源を駆動制御する回動制御手段と、
を具備するレシートプリンタ。
【請求項２】
前記動力源は、
前記第２の要素を前記折りたたみ位置に変位させる動作と当該第２の要素を前記初期位置に復帰させる動作とのいずれか一の動作を行う回動モータと、
いずれか他方の動作を行う復帰バネと、
により構成される請求項１に記載のレシートプリンタ。
【請求項３】
前記第１の要素は、
その両側部にコ字型に屈曲してレシート用紙の両側部を拘束する拘束部材を更に有する、
請求項１もしくは請求項２のいずれか一に記載のレシートプリンタ。
【請求項４】
前記折りたたみ機構は、
前記第１の要素と前記第２の要素とが構成する前記搬送経路の路面の一部に設けられた空気孔と、
前記路面の一部の前記搬送経路とは反対の面に接続し当該空気孔から空気を吸引して前記レシート用紙を拘束する減圧ポンプとを更に有し、
前記レシート用紙の折り曲げ動作に際して当該減圧ポンプを動作させ、前記第２の要素が初期位置に復帰した後に当該減圧ポンプを停止させる減圧ポンプ制御手段を具備する、
請求項１から請求項３のいずれか一に記載のレシートプリンタ。
【請求項５】
前記折りたたみ機構と前記切断機構との間に配置されて前記搬送経路に対し垂直方向に移動自在である押圧部材を有する押圧機構と、
前記押圧部材を前記搬送経路に圧接するプレス位置と折りたたまれた状態で当該搬送経路に沿って搬送される前記レシート用紙に接触しない程度に当該搬送経路から離れている待機位置との間で変位動作させる押圧駆動源と、
折りたたまれた前記レシート用紙の折り目部分が前記押圧部材の位置に位置付けられた状態で当該押圧部材が前記プレス位置に変位した後に前記待機位置に復帰するように前記押圧駆動源を駆動制御する押圧部材制御手段と、
を具備する請求項１から請求項４のいずれか一に記載のレシートプリンタ。
【発明の詳細な説明】
【技術分野】
【０００１】
本発明は、レシート用紙を折りたたんで発行するレシートプリンタに関する。
【背景技術】
【０００２】
従来、取引情報を印刷したレシートを折りたたんで排出する発明がなされている。
【０００３】
例えば、特許文献１には、取り忘れ等により受け取られなかったレシートを搬送ローラで折りたたんで回収する装置が開示されている。図１６に、特許文献１に記載された、レシートを折りたたんで回収するレシート処理機構を示す。この機構によれば、レシートの略中央の折りたたみ位置が搬送経路６を構成する２枚のブレードの繋ぎ目位置に位置付けられるようにレシート５を搬送し、ブレード５０を切り替えてレシート５を搬送経路６から解放し、レシート５を膨らませる方向に複数の搬送ローラ５１を回転させ、その後、別の２つの搬送ローラ５２により膨らんだ部分を押しつぶすことで、レシートを折りたたむ。
【０００４】
【特許文献１】特開２００３−１６８１６３公報
【発明の開示】
【発明が解決しようとする課題】
【０００５】
通常、買い物客は、商品を購入した時に発行されたレシートを、折りたたまれていないそのままの形状で受け取る。しかし、購入した商品の品目が多いために記載事項が増えて長いレシートが発行された場合、買い物客はこのようなレシートを折りたたんで財布に収納する手間を強いられることになる。このような手間を強いられる客が多くなると、レジ近傍に買い物客の滞留が発生し、結果的にレジの回転率が低下しかねない。
【０００６】
この課題を解決するために、特許文献１では印刷済みのレシート用紙を搬送ローラで、レシート用紙が膨らんだ部分を押しつぶして折りたたむ手法が採用されている。しかし、この手法では、搬送ローラとの間の摩擦によって、レシート用紙に印刷された情報が滲むおそれがある。また、特許文献１で採用されている機構ではレシート用紙が多くのローラを通過するため、紙ジャムが発生しやすい。
【０００７】
本発明の目的は、印刷された情報を滲ませずにレシート用紙を折りたたんで買い物客にとって取り扱いやすい形状のレシートを発行するレシートプリンタを提供することである。
【課題を解決するための手段】
【０００８】
本発明のレシートプリンタは、ロール状に巻回されたレシート用紙を保持するレシート用紙保持部とレシート用紙排出部との間を連絡し前記レシート用紙を案内する搬送経路と、前記レシート用紙に搬送力を与えて前記搬送経路に沿って搬送させる搬送機構と、前記搬送経路の途中に配置され前記レシート用紙に情報を印刷する印刷機構と、前記印刷機構よりも前記搬送経路の下流側に配置され前記レシート用紙を切断する切断機構と、前記印刷機構と前記切断機構との間の前記搬送経路上で当該搬送経路の上流側をなす第１の要素と下流側をなす第２の要素とを有し、前記第１の要素と前記第２の要素との少なくとも一方が前記レシート用紙を拘束した状態で、前記第２の要素を前記第１の要素に接合するまで回動して当該レシート用紙を折りたたむ折りたたみ機構と、前記第２の要素を前記搬送経路を構成する初期位置と前記第１の要素に接合する折りたたみ位置との間で変位動作させる動力源と、印刷後の前記レシート用紙が前記第２の要素の位置まで搬送された状態で当該第２の要素が前記折りたたみ位置に変位した後に前記初期位置に復帰するように前記動力源を駆動制御する回動制御手段と、を具備する。
【発明の効果】
【０００９】
本発明によれば、第２の要素の回動動作のみでレシート用紙を折りたたむので、印刷された情報を滲ませることがなく、折りたたんだ状態のレシートを発行することができる。
【発明を実施するための最良の形態】
【００１０】
本発明の実施の一形態を図１ないし図１５に基づいて説明する。
【００１１】
本実施の形態の説明は、次の項目に沿ってなされる。
【００１２】
１．構造の概要
２．システムの詳細
３．レシート作成処理
（１）データ受信
（２）印刷処理
（３）折りたたみ処理
（４）切断処理
４．効果
以下、上記項目の順に説明する。
１．構造の概要
図１は、本実施の形態の概要を示す全体の模式図である。
【００１３】
本実施の形態のレシートプリンタ１は、外観構成を図示しないＰＯＳターミナルに内蔵され、各部をメインフレーム２に保持されて構成されている。このようなレシートプリンタ１は、ＰＯＳターミナルのハウジング上面に着脱自在に取り付けられた図示しないプリンタカバーに覆われ、図示しないプリンタカバーを取り外すと外部に露出するように位置付けられている。
【００１４】
メインフレーム２は、レシート用紙５を収納保持するレシート用紙保持部３を有し、レシート用紙保持部３と図示しないＰＯＳターミナルに設けられたレシート用紙排出部４との間を連絡しレシート用紙５を案内する搬送経路６上に各部を配置している。これらの各部としては、搬送機構９と、印刷機構１１と、折りたたみ機構１４と、押圧機構２０と、切断機構１８とが設けられている。折りたたみ機構１４は、搬送経路６の一部を構成している。
【００１５】
レシート用紙保持部３は、シャーシ２ａに対して着脱自在である細い円筒部材の支持軸２１を具備する。支持軸２１は、ロール状に巻回されたレシート用紙５の中心穴を貫通し、レシート用紙５を回動自在に保持する。
【００１６】
搬送機構９は、レシート用紙５に搬送力を与えて搬送経路に沿って搬送させるプラテンローラ１０を具備する。プラテンローラ１０の表層に用いる素材は、ＳＢＲやＥＰＤＭなどのゴム素材である。
【００１７】
搬送経路６は、レシート用紙５にあてがわれる略平板状の金属板の案内部材７と、レシート用紙５の搬送方向を屈曲させる補助ローラ８とにより構成される。搬送経路６は、搬送機構９によって引き出されたレシート用紙５を、レシート用紙排出部４まで案内する。
【００１８】
印刷機構１１は、レシート用紙５に情報を印刷する印刷ヘッド１２を具備する。印刷ヘッド１２は、プラテンローラ１０とともに、搬送経路６上のレシート用紙５を挟みこむように設置されるサーマルヘッドである。
【００１９】
図２は、折りたたみ機構１４の外観斜視図である。
【００２０】
図３は、レシート用紙５が乗った状態の折りたたみ機構１４の外観斜視図である。
【００２１】
図４は、折りたたみ機構１４の外観平面図である。
【００２２】
折りたたみ機構１４は、印刷機構１１よりも下流側に配置されている。折りたたみ機構１４は、印刷機構１１と後述する切断機構１８との間の搬送経路６上で、搬送経路６の上流側をなす第１の要素である折りたたみ固定部１５と、搬送経路６の下流側をなす第２の要素である折りたたみ駆動部１６と、を具備する。
【００２３】
折りたたみ固定部１５は、搬送経路６を構成する路面上に空気孔２４を設けた第１矩形平板２３であり、シャーシ２ａに保持されている。第１矩形平板２３の下流側面には、レシート用紙５の搬送方向と直交する方向に貫通孔を備えた第１ヒンジ筒２３ａが凹字に突設して一体形成されている。また、第１矩形平板２３の両側面には、第１矩形平板２３上に搬送されたレシート用紙５の両端部を搬送経路６に対し垂直方向に移動しないように拘束する、コ字型に屈曲した拘束部材２５が一体接続されている。拘束部材２５の下流側端は、第１矩形平板２３の下流側端近傍に位置付けられている。また、拘束部材２５の上流側端は、レシート用紙５を挿通しやすいように第１矩形平板２３との間隔を広く設けている。そして、拘束部材２５と第１矩形平板２３との間には、レシート用紙５を搬送して挿通させる際に、レシート用紙５の印刷面を拘束部材２５に擦り合わせずに搬送させることが可能な程度に、レシート用紙５の厚さよりも僅かに厚みのある空間を形成されている。
【００２４】
また、折りたたみ固定部１５の底面には、図示しない減圧ポンプ（ブロック図（図９）の２６参照）の動作によって、空気孔２４から空気を吸引するアダプタ２６が接続されている。図示しない減圧ポンプは、アダプタ２６を通じて空気孔２４から空気を吸引して、第１矩形平板２３上に搬送されたレシート用紙５を浮き上がらないように拘束する。
【００２５】
折りたたみ駆動部１６は、上流側横側面に平面翼２８を一体形成した第２矩形平板２７であり、上流側面にレシート用紙５の搬送方向と直交する方向に貫通孔を備えた第２ヒンジ筒２７ａを凸字に突設して一体形成している。
【００２６】
なお、本実施の形態では、空気孔２４を第１矩形平板２３に設けて、折りたたみ固定部１５の底面にアダプタ１６を接続しているが、別の実施の形態として、空気孔２４を第２矩形平板２７に設けて、折りたたみ駆動部１６の底面にアダプタ１６を接続したり、また、空気孔２４を第１矩形平板２３および第２矩形平板２７の両方に設けて、折りたたみ固定部１５および折りたたみ駆動部１６の両方の底面にアダプタ１６を接続するようにしても良い。
【００２７】
折りたたみ固定部１５と折りたたみ駆動部１６とは、第１ヒンジ筒２３ａと第２ヒンジ筒２７ａとを嵌合させた状態で両方の貫通孔に貫通するヒンジ１７を介して回動自在に接続されている。そして、折りたたみ駆動部１６はシャーシ２ａに保持される動力源２２によって、搬送経路６を構成する初期位置と、折りたたみ固定部１５に接合する折りたたみ位置との間で変位する。
【００２８】
図５は、折りたたみ固定部１５と折りたたみ駆動部１６との接続部分の側面図である。
【００２９】
図６は、折りたたみ固定部１５と折りたたみ駆動部１６との接続部分の平面図である。
【００３０】
折りたたみ駆動部１６の一部を構成する平面翼２８の側面には、ヒンジ１７を回動軸としてヒンジ１７の端部に回動自在に接続された摩擦車２９が接続されている。摩擦車２９にはワイヤ３０が掛け回されている。ワイヤ３０の一端には、回動モータ１０５の動作によりワイヤ３０を第２矩形平板２７が第１矩形平板２３と接合するように回動する方向（以下、閉方向という）に引っ張り、折りたたみ駆動部１６を回動させる巻取ドラム３２が接続されている。また、ワイヤ３０の他端には、回動モータ１０５が通電停止すると、ワイヤ３０を閉方向とは逆の方向（以下、開方向という）に引っ張り、折りたたみ駆動部１６を初期位置まで回動復帰させる復帰バネ３３が接続されている。
【００３１】
つまり、折りたたみ駆動部１６は、回動モータ１０５が動作することにより、ヒンジ１７を回動中心として折りたたみ固定部１５に接合するまで回動し、その後回動モータ１０５が通電停止することにより初期位置まで復帰する。
【００３２】
図７は、押圧機構１４の外観斜視図である。
【００３３】
図８は、図７のＢ−Ｂ線断面図である。
【００３４】
押圧機構２０は折りたたみ機構１４よりも搬送経路６の下流側に配置されている。押圧機構２０は、押圧機構２０全体を保持するフレーム３４と、フレーム３４に格納され下面が僅かに凸状に丸みを帯びた略平面形状のゴム素材であり搬送経路６を形成する案内部材７に対し垂直方向に移動自在である押圧部材３５と、後述する押圧駆動源である押圧モータ１０６の動作により押圧部材３５を搬送経路６に対し垂直方向にプレスさせる伝達部材３７と、フレーム３４と押圧部材３５とを接続する押圧部材復帰バネ３６と、を具備する。
【００３５】
押圧部材３５は、シャーシ２ａに保持される押圧モータ１０６によって、案内部材７に圧接するプレス位置と折りたたまれた状態で案内部材７に沿って搬送されるレシート用紙５に接触しない程度に案内部材７から離れている待機位置との間で変位する。
【００３６】
切断機構１８は、押圧機構２０よりも搬送経路６の下流側に配置され、カッタ動作用モータ１０７の動作によりレシート用紙５を切断するカッタ１９を具備する。
２．システムの詳細
図９は、レシートプリンタ１のシステム構成を示すブロック図である。
【００３７】
レシートプリンタ１は、図示しないＣＰＵ（Central Processing Unit）、制御プログラムを格納するＲＯＭ（Read Only Memory）、ＲＡＭ（Random Access Memory）等で構成される主制御部１０１を具備する。主制御部１０１は、ステッピングモータ１０４と、印刷ヘッド１２と、印刷データバッファ１３と、回動モータ１０５と、減圧ポンプ２６と、押圧モータ１０６と、カッタ動作用モータ１０７とに接続されている。また、主制御部１０１は、ＰＯＳターミナル制御部１０２とデータ送受信を実行し得るように接続されている。
３．レシート作成処理
図１０は、レシートプリンタ１が実行するレシート作成処理のフローチャートである。
【００３８】
以下、図１０に示すフローチャートに従って説明する。
（１）データ受信
ＰＯＳターミナル制御部１０２からレシートプリンタ１にレシート記載事項に関するデータが送信されると、主制御部１０１はそのデータを受信し、主制御部１０１内のＲＡＭに記憶する（ＳＴ１）。
（２）印刷処理
続く処理として、主制御部１０１は、ＲＡＭに記憶したデータから構成される印刷データを印刷データバッファ１３に送信し、印刷ヘッド１２を制御してレシート用紙５に印刷する（ＳＴ２）。
【００３９】
図１１は、レシートプリンタ１が印刷処理で作成するレシートの模式図である。
【００４０】
印刷機構１１は、レシート用紙５に、基本フォーム１１１と、購入商品データ１１２と、取引情報１１３とを印刷してレシートを作成する。基本フォーム１１１は、店舗名のロゴ、セールの案内、「毎度ご来店ありがとうございます」などのメッセージで構成されるレシート構成要素のひとつである。購入商品データ１１２は、買い物客が購入した商品名、その単価、個数などのフィールドで構成されるリストであるレシート構成要素のひとつである。取引情報１１３は、合計金額、お預かり金額、お釣りの金額、レシート発行日時で構成されるレシート構成要素のひとつである。
（３）折りたたみ処理
続く処理として、レシートプリンタ１は折りたたみ処理を行う（ＳＴ３）。
【００４１】
図１２は、レシートプリンタ１が実行する折りたたみ処理のフローチャートである。
【００４２】
図１３は、図２のＡ−Ａ線断面図において、レシートプリンタ１がレシート用紙５を折りたたむ工程を示す模式図である。
【００４３】
以下、折りたたみ処理について、図１２に示すフローチャートに従って説明する。
【００４４】
印刷処理直後では、レシート用紙５の先端５ｅは、印刷ヘッド１２の位置から印刷長Ｐだけ下流側に位置付けられている（図１３（ａ））。
【００４５】
まず、主制御部１０１は、プラテンローラ１０を動作させるステッピングモータ１０４の印刷処理（ＳＴ２）におけるステップ数から印刷長Ｐを算出する（ＳＴ１１）。
【００４６】
続く処理として、主制御部１０１は、算出したＰと予め設定されたレシート用紙５の折りたたみ長Ｌとを比較して、レシート用紙５を折りたたむ必要があるかどうかの判定を実行する（ＳＴ１２）。Ｐ≦Ｌであってレシート用紙５を折りたたむ必要がない場合（ＳＴ１２のＮ）、レシートプリンタ１はレシート用紙５を折りたたまずに処理を終了する。
【００４７】
これに対し、Ｐ＞Ｌである場合（ＳＴ１２のＹ）、主制御部１０１はステッピングモータ１０４を動作させて、レシート用紙５を距離Ｐ−（Ｌ＋Ｒ）だけ上流側に搬送する（Ｒは印刷ヘッド１２からヒンジ１７までの距離）。これにより、レシート先端５ｅから距離Ｌまでの部分が折りたたみ駆動部１６に載置される（ＳＴ１３、図１３（ｂ））。
【００４８】
続く処理として、主制御部１０１は減圧ポンプ２６を動作させて、レシート用紙５のうち折りたたみ固定部１５に載置されている部分を第１矩形平板２３に拘束する（ＳＴ１４、図１３（ｃ））。
【００４９】
続く処理として、主制御部１０１は回動モータ１０５を動作させて折りたたみ駆動部１６を折りたたみ位置まで閉方向に回動し、レシート用紙５を閉方向に折りたたむ（ＳＴ１５）。レシート用紙５は、拘束部材２５の下流側端によって、先端５ｅから距離Ｌだけ上流の位置に折り目５ｄを形成して折りたたまれる（図１３（ｄ））。
【００５０】
続く処理として、主制御部１０１は回動モータ１０５を通電停止させて（ＳＴ１６）、折りたたみ駆動部１６を初期位置に復帰させる（図１３（ｅ））。
【００５１】
復帰する時間の待機後に続く処理として、主制御部１０１は減圧ポンプ２６を通電停止させて、第１矩形平板２３に拘束されていたレシート用紙５を解放する（ＳＴ１７、図１３（ｆ））。
【００５２】
続く処理として、主制御部１０１はステッピングモータ１０４を動作させて、レシート用紙５をヒンジ１７から押圧部材３５までの距離Ｑだけ下流方向に搬送し、折り目５ｄを押圧部材３５の位置に位置付ける（ＳＴ１８、図１３（ｇ））。
【００５３】
続く処理として、主制御部１０１は押圧モータ１０６を動作させて押圧部材２８をプレス位置まで移動させて折り目５ｄをプレスし、その後に、押圧モータ１０６を停止させて押圧部材３５を待機位置に復帰させる（ＳＴ１９、図１３（ｈ）（ｉ））。
【００５４】
このような手段で、レシートプリンタ１は折りたたみ駆動部１６の回動動作によって、レシート用紙５の先端５ｅから距離Ｌの部分を折りたたむ。
（４）切断処理
続く処理として、レシートプリンタ１は切断処理を行う（ＳＴ４）。
【００５５】
図１４は、レシートプリンタ１が実行する切断処理のフローチャートである。
【００５６】
図１５は、レシート用紙５の切断位置５ｃを示す説明図である。
【００５７】
以下、切断処理について、図１４に示すフローチャートに従って説明する。
【００５８】
まず、主制御部１０１はレシート用紙５の切断位置を決定する。
【００５９】
Ｐ≦Ｌであれば、図１５（ａ）に示すようにレシート用紙５は折りたたまれない。この場合（ＳＴ３１のＮ）、主制御部１０１は印刷終端５ｂを切断位置５ｃと決定する（ＳＴ３４）。
【００６０】
Ｌ＜Ｐ＜２Ｌであれば、図１５（ｂ）に示すようにレシート用紙５が折りたたまれ（ＳＴ３１のＹ）、レシート層の中に印刷終端５ｂが存在する状態になる。この場合（ＳＴ３２のＹ）、主制御部１０１は折りたたまれたレシート用紙５の最下流端の折り目５ｄから距離Ｌだけ上流の位置を切断位置５ｃに決定する（ＳＴ３３）。
【００６１】
Ｐ≧２Ｌであれば、図１５（ｃ）に示すようにレシート用紙５が折りたたまれ（ＳＴ３１のＹ）、レシート層の外に印刷終端５ｂが存在する状態になる。この場合（ＳＴ３２のＮ）、主制御部１０１は印刷終端５ｂを切断位置５ｃと決定する（ＳＴ３４）。
【００６２】
切断位置５ｃを決定した後に続く処理として、主制御部１０１はステッピングモータ１０４を動作させて切断位置５ｃをカッタ１９に位置付けた後に、カッタ動作用モータ１０７を動作させてレシート用紙５を切断位置５ｃで切断する（ＳＴ３５）。レシート用紙５の下流側で切断された部分５ａは、レシート排出部４より排出される（図１参照）。
【００６３】
続く処理として、主制御部１０１は、ステッピングモータ１０４を動作させてレシート用紙５をカッタ１９から印刷ヘッド１２までの距離Ｓ（図１３（ａ）参照）だけ上流方向に搬送し、切断されて新たに形成されたレシート用紙５の先端（図示せず）を印刷ヘッド２３に位置付ける（ＳＴ３６）。
４．効果
本実施の形態のレシートプリンタ１によれば、折りたたみ機構１４の回動動作のみでレシート用紙５を折りたたむことができ、したがって、印刷された情報を滲ませることがなく、折りたたんだ状態のレシートを発行することができる。
【図面の簡単な説明】
【００６４】
【図１】本実施の形態の概要を示す全体の模式図である。
【図２】折りたたみ機構の外観斜視図である。
【図３】レシート用紙が乗った状態の折りたたみ機構の外観斜視図である。
【図４】折りたたみ機構の外観平面図である。
【図５】折りたたみ固定部と折りたたみ駆動部との接続部分の側面図である。
【図６】折りたたみ固定部と折りたたみ駆動部との接続部分の平面図である。
【図７】押圧機構の外観斜視図である。
【図８】図７のＢ−Ｂ線断面図である。
【図９】レシートプリンタのシステム構成を示すブロック図である。
【図１０】レシートプリンタが実行するレシート作成処理のフローチャートである。
【図１１】レシートプリンタが作成するレシートの模式図である。
【図１２】レシートプリンタが実行する折りたたみ処理のフローチャートである。
【図１３】図２のＡ−Ａ線断面図において、レシートプリンタがレシート用紙を折りたたむ工程を示す模式図である。
【図１４】レシートプリンタが実行する切断処理のフローチャートである。
【図１５】レシート用紙の切断位置を示す説明図である。
【図１６】従来のレシートを折りたたんで回収するレシート処理機構を示す模式図である。
【符号の説明】
【００６５】
１…レシートプリンタ、３…レシート用紙保持部、４…レシート用紙排出部、５…レシート用紙、５ｄ…折り目、６…搬送経路、７…案内部材、９…搬送機構、１１…印刷機構、１４…折りたたみ機構、１５…第１の要素、１６…第２の要素、１９…切断機構、２０…押圧機構、２２…動力源、２４…空気孔、２５…拘束部材、２６…減圧ポンプ、３３…復帰バネ、３５…押圧部材、１０５…回動モータ、１０６…押圧モータ
【図１】
2008097200.tif 000003
【図２】
2008097200.tif 000004
【図３】
2008097200.tif 000005
【図４】
2008097200.tif 000006
【図５】
2008097200.tif 000007
【図６】
2008097200.tif 000008
【図７】
2008097200.tif 000009
【図８】
2008097200.tif 000010
【図９】
2008097200.tif 000011
【図１０】
2008097200.tif 000012
【図１１】
2008097200.tif 000013
【図１２】
2008097200.tif 000014
【図１３】
2008097200.tif 000015
【図１４】
2008097200.tif 000016
【図１５】
2008097200.tif 000017
【図１６】
2008097200.tif 000018